(57)【要約】【課題】音源を用いて専用オーディオデータを作成したり、圧縮データをオーディオ機器で再生可能なフォーマットへ変換することを不必要にし、かつ一般のＣＤを音源して用いることのできるカラオケ装置を実現すること。【解決手段】オーディオ機器１内にＭＩＤＩデータ変換部１１を設け、オーディオデータ１２と同期をとるようにＭＩＤＩデータ１１のデータ変換を行う。またボーカル処理部５を設け、オーディオデータのボーカル成分を除去し、伴奏音に変換する。制御部６はデータ入出力制御や再生同期制御などを行う。表示部３はＭＩＤＩデータによって制御された歌詞データ及び背景画像データを表示する。また音楽再生部２はボーカル処理されたオーディオデータを再生する。【選択図】        図１
2004212473.tif 000002
【特許請求の範囲】
【請求項１】
各楽曲に対応した背景画像及び歌詞の表示を前記楽曲の演奏順序に同期制御するためのデータをＭＩＤＩデータとするとき、前記楽曲のオーディオデータが与えられた際に、前記ＭＩＤＩデータを用いて楽曲の伴奏音と連動して背景画像と歌詞とを表示するカラオケ装置であって、
前記楽曲のオーディオデータが再生された際に、背景画像データ及び歌詞データを含むカラオケ情報データベースから前記ＭＩＤＩデータを取り出し、前記オーディオデータと同期をとるように前記ＭＩＤＩデータのデータ変換を行うＭＩＤＩデータ変換部と、
前記オーディオデータからボーカル成分の除去処理を行うボーカル処理部と、
前記ボーカル処理部から出力されたオーディオデータに同期するよう変換ＭＩＤＩデータに基づいて前記カラオケデータベースから前記背景画像データ及び歌詞データを読み出す制御部と、
前記制御部から出力された前記背景画像データ及び歌詞データを用いて少なくとも歌詞を表示する表示部と、
前記ボーカル処理部の出力オーディオデータを伴奏音として再生する音楽再生部と、を具備することを特徴とするカラオケ装置。
【請求項２】
各楽曲に対応した背景画像及び歌詞の表示を前記楽曲の演奏順序に同期制御するためのデータをＭＩＤＩデータとするとき、前記楽曲のオーディオデータが与えられた際に、前記ＭＩＤＩデータを用いて楽曲の伴奏音と連動して背景画像と歌詞とを表示するカラオケ装置であって、
前記楽曲のオーディオデータが再生された際に、背景画像データ及び歌詞データを含むカラオケ情報データベースから前記ＭＩＤＩデータを取り出し、前記オーディオデータと同期をとるように前記ＭＩＤＩデータのデータ変換を行うＭＩＤＩデータ変換部と、
前記楽曲のオーディオデータが再生された際に、オーディオデータに同期するよう変換ＭＩＤＩデータに基づいて前記カラオケデータベースから前記背景画像データ及び歌詞データを読み出す制御部と、
前記制御部から出力された前記背景画像データ及び歌詞データを用いて少なくとも歌詞を表示する表示部と、
前記オーディオデータを伴奏音として再生する音楽再生部と、を具備することを特徴とするカラオケ装置。
【請求項３】
前記ＭＩＤＩデータ、前記歌詞データ、前記背景画像データはカラオケ情報として各楽曲のオーディオデータと共に同一の記録媒体に格納されていることを特徴とする請求項１又は２記載のカラオケ装置。
【請求項４】
各楽曲に対応した背景画像及び歌詞の表示を前記楽曲の演奏順序に同期制御するためのデータをＭＩＤＩデータとするとき、前記楽曲のオーディオデータが与えられた際に、前記ＭＩＤＩデータを用いて楽曲の伴奏音と連動して背景画像と歌詞とを表示するカラオケ再生方法であって、
前記楽曲のオーディオデータが再生された際に、背景画像データ及び歌詞データを含むカラオケ情報データベースから前記ＭＩＤＩデータを取り出し、前記オーディオデータと同期をとるように前記ＭＩＤＩデータをデータ変換し、
前記オーディオデータからボーカル成分を除去し、
前記ボーカル除去処理によって出力されたオーディオデータに同期するよう変換ＭＩＤＩデータに基づいて前記カラオケ情報データベースから前記背景画像データ及び歌詞データを読み出し、
変換ＭＩＤＩデータに基づいて出力タイミングが制御された前記背景画像データ及び歌詞データを用いて少なくとも歌詞を表示し、
前記ボーカル除去処理後の出力オーディオデータを伴奏音として再生することを特徴とするカラオケ再生方法。
【請求項５】
各楽曲に対応した背景画像及び歌詞の表示を前記楽曲の演奏順序に同期制御するためのデータをＭＩＤＩデータとするとき、前記楽曲のオーディオデータが与えられた際に、前記ＭＩＤＩデータを用いて楽曲の伴奏音と連動して背景画像と歌詞とを表示するカラオケ再生方法であって、
前記楽曲のオーディオデータが再生された際に、背景画像データ及び歌詞データを含むカラオケ情報データベースから前記ＭＩＤＩデータを取り出し、前記オーディオデータと同期をとるように前記ＭＩＤＩデータをデータ変換し、
前記オーディオデータに同期するよう変換ＭＩＤＩデータに基づいて前記カラオケ情報データベースから前記背景画像データ及び歌詞データを読み出し、
変換ＭＩＤＩデータに基づいて出力タイミングが制御された前記背景画像データ及び歌詞データを用いて少なくとも歌詞を表示し、
前記オーディオデータを伴奏音として再生することを特徴とするカラオケ再生方法。
【発明の詳細な説明】
【０００１】
【発明の属する技術分野】
本発明は、あたかも音源が存在するかのようにしたカラオケ装置及びカラオケ再生方法に係わり、特にＭＩＤＩ（musical instrument digital interface）データによって表示制御されるテキストデータ及び画像データとからなるコンテンツとそのデータ構造に関する技術である。
【０００２】
【従来の技術】
従来、カラオケを行うには、カラオケ情報であるテキストデータ（歌詞データ）と画像データ（背景画像データ）とそれらの表示を制御するＭＩＤＩデータと、更にＭＩＤＩにより制御される音源等が格納されたカラオケ専用再生装置とが必要であった。しかしながら、近年のカラオケの普及により、更に手軽にカラオケを楽しみたいという要望が強くなってきている。
【０００３】
特に音源は、波形データを記憶する波形データ記憶部と波形データのデコード処理などを行う音声合成部等により構成され、演奏楽器に応じた様々な波形データを用意しておく必要がある。このため波形データの格納に大きなデータ容量を必要とする。更に波形データの作成は、ノウハウ的な要素が多く、非常に多くの労力とコストのかかる技術であった。
【０００４】
そこで、音源を必要とせず、且つ一般的なオーディオ機器でカラオケ機能を実現しようとする技術が提案されている。その一例を以下に示す。
【０００５】
特許公開公報２００２−１３２２７５号には、音源なしでカラオケ機能を実現するカラオケ装置が開示されている。このカラオケ装置は、少なくともテキストデータとＭＩＤＩデータと圧縮オーディオデータとを有する媒体を必要とする。また媒体からテキストデータとＭＩＤＩデータと圧縮オーディオデータとを受信又は読み出す制御部と、制御部が受信又は読み出したテキストデータを表示する表示部とが設けられている。そして制御部が受信又は読み出した圧縮オーディオデータの伸張処理（デコード）を行い、オーディオデータとして出力する伸張部と、伸張部が出力したオーディオデータを再生する再生部とを必要とする。そして媒体上のＭＩＤＩデータが、テキストデータの表示タイミングを制御する制御情報を有し、またオーディオデータの再生開始を指示する情報を含むことを特徴とするものである。
【０００６】
【特許文献１】
特許公開公報２００２−１３２２７５号
【０００７】
【発明が解決しようとする課題】
しかしながら前記従来のカラオケ装置では、カラオケ専用の圧縮オーディオデータを新たに作成する必要がある。その作成の方法に関しては、特許文献１内の図１に示されている。即ち１次媒体に納められているＭＩＤＩデータに基づき、変換装置内の音源を用いて専用のオーディオデータが新たに作成される。このオーディオデータとは、例えばボーカル成分がなく、ＭＩＤＩデータの再生と同期のとられるデータである。この場合のオーディオデータの音質は、音源の品位に依存する。例えばＣＤ（compact disc）の曲などのように、スタジオ録音された高品位な音質を実現しようとすると、高品位（高価）な音源が必要になる。更にこの状態では、一般的なオーディオ機器では再生困難なデータフォーマットとなっているので、特許文献１に記載されているような圧縮オーディオ・フォーマットに変換されなければならない。従って、データ圧縮することによる音質の劣化が必ず生じる。また、極力音質の劣化を防ごうとすると、高品位な圧縮部（エンコーダ）が必要になる。
【０００８】
以上のような従来のカラオケ装置では、音源を用いて専用オーディオデータを作成しなければならない。更に、一般的なオーディオ機器で再生可能にするために、例えばデータを圧縮するなどしてオーディオ機器で再生可能なフォーマットに変換する必要があり、圧縮部（エンコーダ）が必要となる。またオーディオデータの品質は、使用する音源の品位に依存し、データ圧縮が行われるので必ず音質が劣化するという問題点があった。
【０００９】
本発明は、このような従来の問題点に鑑みてなされたものであって、構成の複雑なＭＩＤＩ音源を用いず、ＣＤのような汎用のオーディオデータを用いてカラオケ機能を実現するべく、背景画像データや歌詞データの表示タイミングと、楽曲の汎用のオーディオデータの出力タイミングとの同期がとれるようにしたカラオケ装置及びカラオケ再生方法を実現することを目的とする。
【００１０】
【課題を解決するための手段】
本願の請求項１の発明は、各楽曲に対応した背景画像及び歌詞の表示を前記楽曲の演奏順序に同期制御するためのデータをＭＩＤＩデータとするとき、前記楽曲のオーディオデータが与えられた際に、前記ＭＩＤＩデータを用いて楽曲の伴奏音と連動して背景画像と歌詞とを表示するカラオケ装置であって、前記楽曲のオーディオデータが再生された際に、背景画像データ及び歌詞データを含むカラオケ情報データベースから前記ＭＩＤＩデータを取り出し、前記オーディオデータと同期をとるように前記ＭＩＤＩデータのデータ変換を行うＭＩＤＩデータ変換部と、前記オーディオデータからボーカル成分の除去処理を行うボーカル処理部と、前記ボーカル処理部から出力されたオーディオデータに同期するよう変換ＭＩＤＩデータに基づいて前記カラオケデータベースから前記背景画像データ及び歌詞データを読み出す制御部と、前記制御部から出力された前記背景画像データ及び歌詞データを用いて少なくとも歌詞を表示する表示部と、前記ボーカル処理部の出力オーディオデータを伴奏音として再生する音楽再生部と、を具備することを特徴とするものである。
【００１１】
本願の請求項２の発明は、各楽曲に対応した背景画像及び歌詞の表示を前記楽曲の演奏順序に同期制御するためのデータをＭＩＤＩデータとするとき、前記楽曲のオーディオデータが与えられた際に、前記ＭＩＤＩデータを用いて楽曲の伴奏音と連動して背景画像と歌詞とを表示するカラオケ装置であって、前記楽曲のオーディオデータが再生された際に、背景画像データ及び歌詞データを含むカラオケ情報データベースから前記ＭＩＤＩデータを取り出し、前記オーディオデータと同期をとるように前記ＭＩＤＩデータのデータ変換を行うＭＩＤＩデータ変換部と、前記楽曲のオーディオデータが再生された際に、オーディオデータに同期するよう変換ＭＩＤＩデータに基づいて前記カラオケデータベースから前記背景画像データ及び歌詞データを読み出す制御部と、前記制御部から出力された前記背景画像データ及び歌詞データを用いて少なくとも歌詞を表示する表示部と、前記オーディオデータを伴奏音として再生する音楽再生部と、を具備することを特徴とするものである。
【００１２】
本願の請求項３の発明は、請求項１又は２のカラオケ装置において、前記ＭＩＤＩデータ、前記歌詞データ、前記背景画像データはカラオケ情報として各楽曲のオーディオデータと共に同一の記録媒体に格納されていることを特徴とするものである。
【００１３】
本願の請求項４の発明は、各楽曲に対応した背景画像及び歌詞の表示を前記楽曲の演奏順序に同期制御するためのデータをＭＩＤＩデータとするとき、前記楽曲のオーディオデータが与えられた際に、前記ＭＩＤＩデータを用いて楽曲の伴奏音と連動して背景画像と歌詞とを表示するカラオケ再生方法であって、前記楽曲のオーディオデータが再生された際に、背景画像データ及び歌詞データを含むカラオケ情報データベースから前記ＭＩＤＩデータを取り出し、前記オーディオデータと同期をとるように前記ＭＩＤＩデータをデータ変換し、前記オーディオデータからボーカル成分を除去し、前記ボーカル除去処理によって出力されたオーディオデータに同期するよう変換ＭＩＤＩデータに基づいて前記カラオケ情報データベースから前記背景画像データ及び歌詞データを読み出し、変換ＭＩＤＩデータに基づいて出力タイミングが制御された前記背景画像データ及び歌詞データを用いて少なくとも歌詞を表示し、前記ボーカル除去処理後の出力オーディオデータを伴奏音として再生することを特徴とするものである。
【００１４】
本願の請求項５の発明は、各楽曲に対応した背景画像及び歌詞の表示を前記楽曲の演奏順序に同期制御するためのデータをＭＩＤＩデータとするとき、前記楽曲のオーディオデータが与えられた際に、前記ＭＩＤＩデータを用いて楽曲の伴奏音と連動して背景画像と歌詞とを表示するカラオケ再生方法であって、前記楽曲のオーディオデータが再生された際に、背景画像データ及び歌詞データを含むカラオケ情報データベースから前記ＭＩＤＩデータを取り出し、前記オーディオデータと同期をとるように前記ＭＩＤＩデータをデータ変換し、前記オーディオデータに同期するよう変換ＭＩＤＩデータに基づいて前記カラオケ情報データベースから前記背景画像データ及び歌詞データを読み出し、変換ＭＩＤＩデータに基づいて出力タイミングが制御された前記背景画像データ及び歌詞データを用いて少なくとも歌詞を表示し、前記オーディオデータを伴奏音として再生することを特徴とするものである。
【００１５】
【発明の実施の形態】
以下、本発明のカラオケ装置の実施の形態について、図面を参照しながら説明する。
【００１６】
（実施の形態１）
本発明の実施の形態１におけるカラオケ装置の全体構成図を図１に示す。図１において、オーディオ機器１は音楽再生を行う音楽再生部２のみならず、情報を表示する表示部３を持ついわゆるカラオケ装置である。またこのオーディオ機器１は、音楽再生部２及び表示部３に加えて、後述する機能を持つＭＩＤＩデータ変換部４、ボーカル処理部５、制御部６を有している。
【００１７】
本実施の形態では、各楽曲に対応した背景の画像データの表示、及び歌詞を記述するテキストデータの表示を、楽曲の演奏順序に同期制御するためのデータをＭＩＤＩデータとする。ＭＩＤＩデータ変換部４は、楽曲の汎用オーディオデータ１２が再生された際に、背景画の画像データ９及び歌詞のテキストデータ１０を含むカラオケ情報データベース７からＭＩＤＩデータ１１を取り出し、汎用オーディオデータ１２と同期をとるようにＭＩＤＩデータのデータ変換を行うものである。
【００１８】
ボーカル処理部５は汎用オーディオデータ１２からボーカル成分の除去処理を行うものである。なお、ボーカル成分除去の方法は公知技術であるが、その１例を図２を用いて説明する。汎用オーディオデータ１２のＬｃｈの信号をＬとし、Ｒｃｈの信号をＲとする。図２に示すように、信号Ｌは入力端５１Ｌに、信号Ｒは入力端５１Ｒに入力される。音源におけるボーカル信号をＶとする。歌手のボーカル信号は、楽曲の収録時にＬｃｈのマイクロホンとＲｃｈのマイクロホンとの中央位置から出力されることが多い。またカラオケで用いられる楽曲は、この条件を満足しているものが多い。従ってボーカル信号ＶはＶ／２が信号ＬとＲに夫々含まれていると考えられる。
【００１９】
信号Ｌはバンドバスフィルタ（ＢＰＦ）５２Ｌに与えられ、ボーカル帯域成分のみが抽出されて信号ＬＶとなる。この信号ＬＶはＶ／２＋ΔＬとなる。尚、ΔＬはＢＰＦ５２Ｌの帯域に含まれるボーカル以外のオーディオ成分である。同様に信号Ｒはバンドバスフィルタ５２Ｒに与えられ、ボーカル帯域成分のみが抽出されて信号ＲＶとなる。信号ＲＶはＶ／２＋ΔＲとなる。尚、ΔＲはＢＰＦ５２Ｒの帯域に含まれるボーカル以外のオーディオ成分である。
【００２０】
加算器５５は、信号ＬＶと、反転器５４を介して出力された信号（−ＲＶ）とを加算し、加算信号Ｋ＝ＬＶ−ＲＶを出力する。この加算信号ＫはΔＬ−ΔＲとなる。一方、バンドエリミネーションフィルタ（ＢＥＦ）５３Ｌは信号Ｌからボーカル帯域成分を除去した信号（Ｌ−ＬＶ）を出力する。またバンドエリミネーションフィルタ５３Ｒは信号Ｒからボーカル帯域成分を除去した信号（Ｒ−ＲＶ）を出力する。加算信号Ｋは加算器５６Ｌと反転器５７に与えられる。加算器５６Ｌは信号（Ｌ−ＬＶ）と信号Ｋを加算し、信号Ｋ＋（Ｌ−ＬＶ）を出力端５８Ｌに与える。また加算器５６Ｒは反転器５７を介して得られた信号（−Ｋ）と信号（Ｒ−ＲＶ）とを加算し、（Ｒ−ＲＶ）−Ｋを信号出力端５８Ｌに与える。
【００２１】
このため出力端５８Ｌから得られる信号はＫ＋（Ｌ−ＬＶ）＝（Ｌ−Ｖ／２）−ΔＲとなり、ボーカル成分が除去されたＬｃｈのオーディオデータとなる。但しＢＰＦの帯域に含まれるＲｃｈの伴奏信号が付加されるが、伴奏音としては気にならない。また出力端５８Ｒから得られた信号は（Ｒ−ＲＶ）−Ｋ＝（Ｒ−Ｖ／２）−ΔＬとなり、ボーカル成分が除去されたＲｃｈのオーディオデータとなる。但しＢＰＦの帯域に含まれるＬｃｈの伴奏信号が付加されるが、伴奏音としては気にならない。このような処理でステレオの楽曲信号からボーカル成分を除去できる。
【００２２】
制御部６はボーカル処理部５から出力されたオーディオデータに同期するようＭＩＤＩデータ変換部４でテンポ情報が書き換えられた変換ＭＩＤＩデータに基づいてカラオケ情報データベース７から画像データ９及びテキストデータ１０を読み出すものである。表示部３は制御部６を介して出力された画像データ及びテキストデータを用いて背景画像及び歌詞を表示するものである。音楽再生部２はボーカル処理部５の出力オーディオデータを歌唱曲の伴奏音として再生するものである。
【００２３】
このような構成のカラオケ装置、即ちオーディオ機器１に対して、カラオケデータ情報ベース７からカラオケ情報８が提供される。カラオケ情報８は背景画に関する画像データ９と、歌詞に関するテキストデータ１０と、ＭＩＤＩデータ１１とを含む情報である。カラオケ情報８は、記録媒体（ＣＤ等の光ディスク）に記録された汎用オーディオデータ１２とリンクするもので、例えばＣＤの制作元を介して提供されるものとする。
【００２４】
汎用オーディオデータ１２は一般的なオーディオデータであり、例えばＣＤに記録された非圧縮データ、つまりボーカル成分が含まれている一般的な楽曲データである。汎用オーディオデータ１２は、オーディオ機器１内のボーカル処理部５へ送られる。ボーカル処理部５は汎用オーディオデータ１２からボーカル成分を取り除き、制御部６に出力する。尚、ＣＤによっては歌手の歌声の伴う通常の楽曲に加えて、同じ曲でボーカル成分が除去されたカラオケ用の楽曲もある。このようなＣＤを汎用オーディオデータ１２の記録媒体として用いる場合、あるいはボーカルを聞きながら練習したい場合は、ボーカル処理部５は不要である。制御部６は楽曲の再生時にカラオケ情報データベース７より、汎用オーディオデータ１２に対応したカラオケ情報８を取得する。
【００２５】
一方、オーディオ機器１に取得されたカラオケ情報８のうち、画像データ９とテキストデータ１０は制御部６に与えられる。また、ＭＩＤＩデータ１１は、オーディオ機器１内のＭＩＤＩデータ変換部４により、ボーカル処理された汎用オーディオデータと同期をとる処理に用いられる。
【００２６】
その方法の一例について説明する。図３はＭＩＤＩデータ変換部４の具体的な処理方法の説明図である。図３（ａ）は汎用オーディオデータ１２のトータル再生時間Ａとボーカル部分Ｂ１、Ｂ２の関係を示したタイムチャートである。また、図３（ｃ）はカラオケ情報８に含まれるデータ変換前のＭＩＤＩデータのトータル再生時間Ｍ０と、ボーカルに対応する歌詞、即ちテキスト部分Ｔ１０、Ｔ２０の表示タイミングの関係を示したタイムチャートである。
【００２７】
図３（ａ）と図３（ｃ）を比べると、“再生時間Ｍ０＜再生時間Ａ”という関係になっている。これはＭＩＤＩデータ内のテンポ（Tempo)が汎用オーディオデータ１２に比べて早いからである。即ちＭＩＤＩデータのテンポを遅くすることにより、再生時間を一致させ、オーディオデータとの同期をとることができる。
【００２８】
先ず、オーディオデータ及びカラオケ情報８の再生時間の算出方法について説明する。オーディオデータに関しては、例えば音源がＣＤであれば、ＴＯＣ（Table of Contents ）に再生時間情報が記述されており、また、オーディオ圧縮フォーマットであるＷＭＡ（Windows Media Audio、Windowsは登録商標）では、ストリームのヘッダ情報であるＡＳＦヘッダに再生時間情報が記述されており、容易に求めることができる。
【００２９】
一方、ＭＩＤＩデータの再生時間とテンポの関係を次の式（１），（２）に示す。ここでタイムベースとは曲分割時の分解能である。デルタタイムとはタイムベースにより定まるＭＩＤＩ管理時間の最小単位である。
１デルタタイムの再生時間
＝（１／タイムベース）＊Tempo より求められる時間〔sec]・・・（１）
トータル再生時間〔sec]
＝デルタタイム数＊１デルタタイムの再生時間〔sec]・・・（２）
ここで拍数に関して、例えばTempo120は0.5[sec]と相等である。この式（１），（２）を用いて再生時間が一致するようにＭＩＤＩデータのテンポ情報を変更することにより、各データの同期をとることが可能になる。ＭＩＤＩデータ変換部４によって同期のとられた変換ＭＩＤＩデータの例を図３（ｂ）に示す。
【００３０】
また、データの同期をとる別の方法として、図３（ａ）に示すボーカルＢ１のスタート時刻に図３（ｃ）のテキストＴ１の表示のスタート時刻が一致するように、ＭＩＤＩデータのテンポを変更する方法もある。ここで、ボーカルＢ１のスタート時刻については、オーディオデータのボーカル処理をする際に容易に求めることができる。また、ＭＩＤＩデータのテキストＴ１０の表示スタート時刻に関しても、ＭＩＤＩイベント情報と、前述した式（１），（２）により容易に求めることができる。更にボーカルＢ２のスタート時刻とテキストＴ２０の表示スタート時刻が一致するようにテンポを求め、「Ｂ１のスタート時刻＝Ｔ１０のスタート時刻」となるテンポと、「Ｂ２のスタート時刻＝Ｔ２０のスタート時刻」になるテンポとの整合をとる。即ち夫々のテンポの値の平均化を行うことで、同期の精度をより向上させることができる。
【００３１】
以上のようにして、制御部６に集められた画像データ９、テキストデータ１０、データ変換後のＭＩＤＩデータ１１’、ボーカル処理されたオーディオデータ１２’のうち、制御部６はオーディオデータ１２’を音楽再生部５に送り、ボーカルの削除された楽曲を再生する。また制御部６はＭＩＤＩデータ１１’の解読を行い、ＭＩＤＩデータ１１’により表示制御されるテキストデータと画像データを表示部３へ送り、背景画像と歌詞を表示する。以上の制御により、オーディオデータの再生と同期して、テキストデータ（歌詞）と画像データ（背景画）を表示することができる。
【００３２】
このような構成と動作制御により、カラオケ情報及び一般的な汎用オーディオデータ、即ち市販のＣＤのみで、簡単な構成のオーディオ機器１を用いてカラオケ機能を楽しむことができる。
【００３３】
なお、本実施の形態１では、カラオケ情報データベース７からカラオケ情報８を取得する際の方法については特に言及していない。しかし、例えばインターネットなどのネットワークを介して、ＣＤの元売り会社等からカラオケ情報８を入手しても同様の効果を得ることができる。その際、オーディオ機器１から、例えば汎用オーディオデータ１２の曲目情報を、ネットワークを介してカラオケ情報データベース７を持つサイトに送り、このサイトから対応するカラオケ情報８を取得することができる。このような方法により、簡便にカラオケ情報を取得することができる。
【００３４】
また、ここでのオーディオデータは非圧縮の音楽データとしたが、例えば、ＷＭＡなどの圧縮データであっても、若干の音質劣化はあるものの、音源が不要であり、また専用オーディオデータの作成が不要であるので、ほぼ同様の作用が得られる。
【００３５】
本実施の形態によれば、ＭＩＤＩデータ変換部４がテキストデータや画像データの表示タイミングと、オーディオデータの出力タイミングとの同期をとることができるようにＭＩＤＩデータの変換を行い、かつボーカル処理部がボーカル成分を取り除く処理を行っているので、専用のオーディオデータを新たに作成することなく、一般的なオーディオデータを使用することができる。
【００３６】
その結果、従来のようにＭＩＤＩなどの音源を使用して専用のオーディオデータを作成する必要がない。ＣＤのようにスタジオ録音による高音質なオーディオデータを作成するためには、高品位（高価）な音源を用意する必要がある。しかし本実施の形態のカラオケ装置では、ＣＤなどに記録された汎用のオーディオデータをそのまま使用できるので、カラオケ装置としての独自の音源が不要となり、原曲をそのままのＢＧＭとして歌うことができる。
【００３７】
また従来のように、音源により作成したオーディオデータでは、一般のオーディオ機器では再生できないデータフォーマットとなるので、オーディオ機器で再生可能な圧縮フォーマットなどに変換する必要がある。本実施の形態のカラオケ装置では、ＣＤなどの汎用のオーディオデータを使用するので、オーディオデータのフォーマット変換は不要となる。従って音源を有しないカラオケ装置で、より簡便にカラオケ機能を楽しむことができる。
【００３８】
（実施の形態２）
次に本実施の形態２のカラオケ装置について説明する。図４は本実施の形態２におけるカラオケ装置の全体構成図である。オーディオ機器１は、実施の形態１に示したものと同じ構成であり、音楽再生部２、表示部３、ＭＩＤＩデータ変換部４、ボーカル処理部５、制御部６を含んで構成される。
【００３９】
カラオケ情報８は画像データ９とテキストデータ１０とＭＩＤＩデータ１１により構成されるが、カラオケ情報８と汎用オーディオデータ１２とが記録媒体１３に格納されている点が実施の形態１と異なる。本実施の形態２では、記録媒体１３として例えば光ディスクの一つであるＣＤ−ＲＷディスクが用いられる。
【００４０】
このような構成にすると、記録媒体１３ごとにカラオケの曲目の分類ができる。また必要に応じて即座に歌いたい曲を用意することができる。
【００４１】
なお、本実施の形態２では、記録媒体１３としてＣＤ−ＲＷを使用したが、例えば半導体記録媒体であるメモリーカードなどを使用しても同様の効果が得られる。これらの半導体記録媒体は光ディスクに対して更に小型軽量であるので、携帯性が向上する。
【００４２】
また、本実施の形態のカラオケ装置によれば、ＭＩＤＩデータなどカラオケ情報とオーディオデータとを記録媒体に格納しているので、記録媒体ごとにカラオケの曲目の分類ができる。また必要に応じて即座に使用したい曲を用意することができる。
【００４３】
【発明の効果】
本発明の請求項１、４記載の発明によれば、ＭＩＤＩデータ変換部が歌詞データや背景画像データの表示タイミングを、オーディオデータの出力タイミングと同期を取れるようにＭＩＤＩデータの変換を行うことができる。ボーカル成分を除去するボーカル処理部が内蔵されているので、専用のオーディオデータを新たに作成する必要がなく、一般的なオーディオデータを使用することができる。
【００４４】
また本発明の請求項２、５記載の発明によれば、ＭＩＤＩデータなどカラオケ情報とオーディオデータとが記録媒体に格納されているので、記録媒体ごとにカラオケの曲目の分類ができ、必要に応じて歌いたい楽曲を即座に用意することができる。
【図面の簡単な説明】
【図１】本発明の実施の形態１によるカラオケ装置の全体構成図である。
【図２】本実施の形態１のカラオケ装置に用いられるボーカル処理部の構成例である。
【図３】実施の形態１のカラオケ装置において、ＭＩＤＩデータ変換部の処理方法を示す説明図である。
【図４】本発明の実施の形態２によるカラオケ装置の全体構成図である。
【符号の説明】
１  オーディオ機器
２  音楽再生部
３  表示部
４  ＭＩＤＩデータ変換部
５  ボーカル処理部
６  制御部
７  カラオケ情報データベース
８  カラオケ情報
９  画像データ
１０  テキストデータ
１１  ＭＩＤＩデータ
１２  汎用オーディオデータ
１３  記録媒体
５１Ｌ，５１Ｒ  入力端
５２Ｌ，５２Ｒ  ＢＰＦ
５３Ｌ，５３Ｒ  ＢＥＦ
５５，５６Ｌ，５６Ｒ  加算器
５４，５７  反転器
５８Ｌ，５８Ｒ  出力端
【図１】
2004212473.tif 000003
【図２】
2004212473.tif 000004
【図３】
2004212473.tif 000005
【図４】
2004212473.tif 000006